【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
血液透析中の患者内の血清リン濃度を予測するインビトロの方法であって、
前記方法は、
血液透析治療セッション時間にわたる前記患者の血清リン濃度（「Ｃ」）と、限外濾過速度（「ＱＵＦ」）とを測定することであって、前記限外濾過速度は、初期血液透析治療セッション中の前記患者の透析前体重と透析後体重との間の差異が前記治療セッションの総治療時間によって除算されることによって計算される、ことと、
以下の式に非線形最小２乗適合を使用して、前記患者に対するＫＭおよびＶＰＲＥを推定することであって、
【数１】
2013524892.tif 000001
式中、ｔは、前記血液透析治療セッション中の時間であり、
Ｔは、前記血液透析治療セッションの終了後の時間であり、
ｔｔｘは、前記血液透析治療セッションの総持続時間であり、
ＣＰＲＥは、透析前血漿リン濃度であり、
ＣＰＯＳＴは、透析後血漿リン濃度であり、
ＫＭは、前記患者のリン移行クリアランスであり、
ＫＲは、リン酸塩の残留腎クリアランスであり、
ＫＤは、透析装置リン酸塩クリアランスであり、
ＶＰＲＥは、前記患者のリンの透析前分布容積であり、
【数２】
2013524892.tif 000002
である、ことと、
前記患者の推定されたＫＭおよびＶＰＲＥと、前記式１−Ａおよび１−Ｂとを使用することによって、任意の血液透析治療セッション中の任意の時間における前記患者のＣを予測することと
を含む、方法。
【請求項２】
ＫＤは、以下の式を使用して決定され、
【数３】
2013524892.tif 000003
式中、
【数４】
2013524892.tif 000004
ＱＢは、血液流量であり、
ＱＤは、透析流量であり、
ＫＯＡは、以前の測定の結果として得られたリン酸塩に対する透析装置総括物質移動面積係数であり、一組の血液流量ＱＢ，Ｍおよび透析液流量ＱＤ，Ｍは、透析装置クリアランスＫＤ，Ｍをもたらし、
Ｈｃｔは、患者の血液サンプルから測定されたヘマトクリット値である、
請求項１に記載の方法。
【請求項３】
ＫＤは、以下の式を使用して、任意の時間ｔに対して決定され、
【数５】
2013524892.tif 000005
式中、ｔｓは、サンプリング時間であり、
ＣＤ（ｔｓ）は、時間ｔｓにおける透析液流出物内のリンの濃度であり、
ＱＤ（ｔｓ）は、時間ｔｓにおける透析液流量であり、
Ｃ（ｔｓ）は、時間ｔｓにおける血清リン濃度である、
請求項１に記載の方法。
【請求項４】
ＫＭは、以下の式を使用して決定される、
【数６】
2013524892.tif 000006
請求項１に記載の方法。
【請求項５】
前記患者のＣは、前記血液透析治療セッション中、１５分毎に測定される、請求項１に記載の方法。
【請求項６】
前記患者のＣは、前記血液透析治療セッション中、３０分毎に測定される、請求項１に記載の方法。
【請求項７】
ｔｔｘは、２時間である、請求項１に記載の方法。
【請求項８】
ｔｔｘは、４時間である、請求項１に記載の方法。
【請求項９】
ｔｔｘは、８時間である、請求項１に記載の方法。
【請求項１０】
Ｔは、３０分である、請求項１に記載の方法。
【請求項１１】
Ｔは、１時間である、請求項１に記載の方法。
【請求項１２】
コンピューティングデバイスであって、
ディスプレイデバイスと、
入力デバイスと、
プロセッサと、
複数の命令を記憶しているメモリデバイスと
を備え、
前記複数の命令は、前記プロセッサによって実行されると、
（ａ）血液透析治療セッション時間にわたる血液透析患者の血清リン濃度（「Ｃ」）と、限外濾過速度（「ＱＵＦ」）とに関連するデータを受信することであって、前記限外濾過速度は、血液透析治療セッション中の前記血液透析患者の透析前体重と透析後体重との間の差異が前記治療セッションの総治療時間によって除算されることによって計算される、ことと、
（ｂ）以下の式に非線形最小２乗適合を使用して、前記患者に対するＫＭおよびＶＰＲＥを推定することであって、
【数７】
2013524892.tif 000007
式中、ｔは、前記血液透析治療セッション中の時間であり、
Ｔは、前記血液透析治療セッションの終了後の時間であり、
ｔｔｘは、前記血液透析治療セッションの総持続時間であり、
ＣＰＲＥは、透析前血漿リン濃度であり、
ＣＰＯＳＴは、透析後血漿リン濃度であり、
ＫＭは、前記患者のリン移行クリアランスであり、
ＫＲは、リン酸塩の残留腎クリアランスであり、
ＫＤは、透析装置リン酸塩クリアランスであり、
ＶＰＲＥは、前記血液透析患者のリンの透析前分布容積である、ことと、
（ｃ）前記患者の推定されたＫＭおよびＶＰＲＥと、前記式３−Ａとを使用することによって、血液透析中の任意の時間における前記患者のＣを予測することと
を行うように、前記プロセッサに、前記ディスプレイデバイスおよび前記入力デバイスと共に動作させる、コンピューティングデバイス。
【請求項１３】
ＱＵＦ＝０である場合、
【数８】
2013524892.tif 000008
である、請求項１２に記載のコンピューティングデバイス。
【請求項１４】
前記プロセッサは、前記ディスプレイデバイスおよび前記入力デバイスと共に動作し、ＫＲ、ＫＤ、または前記血清リン濃度を収集するためのサンプリング時間のうちの少なくとも１つに関連するデータを受信する、請求項１２に記載のコンピューティングデバイス。
【手続補正２】
【補正対象書類名】明細書
【補正対象項目名】０３７３
【補正方法】変更
【補正の内容】
【０３７３】
本明細書で説明される現在好ましい実施形態への種々の変更および修正が、当業者に明白となることを理解されたい。そのような変更および修正は、本主題の精神および範囲から逸脱することなく、およびその意図された利点を軽減することなく行うことができる。したがって、そのような変更および修正は、添付する特許請求の範囲に包含されることを意図する。
本願明細書は、例えば、以下の項目も提供する。
（項目１）
血液透析中の患者内の血清リン濃度を予測する方法であって、
前記方法は、
血液透析治療セッション時間にわたる前記患者の血清リン濃度（「Ｃ」）と、限外濾過速度（「ＱＵＦ」）とを測定することであって、前記限外濾過速度は、初期血液透析治療セッション中の前記患者の透析前体重と透析後体重との間の差異が前記治療セッションの総治療時間によって除算されることによって計算される、ことと、
以下の式に非線形最小２乗適合を使用して、前記患者に対するＫＭおよびＶＰＲＥを推定することであって、
【数８２】
2013524892.tif 000009
式中、ｔは、前記血液透析治療セッション中の時間であり、
Ｔは、前記血液透析治療セッションの終了後の時間であり、
ｔｔｘは、前記血液透析治療セッションの総持続時間であり、
ＣＰＲＥは、透析前血漿リン濃度であり、
ＣＰＯＳＴは、透析後血漿リン濃度であり、
ＫＭは、前記患者のリン移行クリアランスであり、
ＫＲは、リン酸塩の残留腎クリアランスであり、
ＫＤは、透析装置リン酸塩クリアランスであり、
ＶＰＲＥは、前記患者のリンの透析前分布容積であり、
【数８３】
2013524892.tif 000010
である、ことと、
前記患者の推定されたＫＭおよびＶＰＲＥと、前記式１−Ａおよび１−Ｂとを使用することによって、任意の血液透析治療セッション中の任意の時間における前記患者のＣを予測することと
を含む、方法。
（項目２）
ＫＤは、以下の式を使用して決定され、
【数８４−１】
2013524892.tif 000011
式中、
【数８４−２】
2013524892.tif 000012
ＱＢは、血液流量であり、
ＱＤは、透析流量であり、
ＫＯＡは、以前の測定の結果として得られたリン酸塩に対する透析装置総括物質移動面積係数であり、一組の血液流量ＱＢ，Ｍおよび透析液流量ＱＤ，Ｍは、透析装置クリアランスＫＤ，Ｍをもたらし、
Ｈｃｔは、患者の血液サンプルから測定されたヘマトクリット値である、
項目１に記載の方法。
（項目３）
ＫＤは、以下の式を使用して、任意の時間ｔに対して決定され、
【数８５】
2013524892.tif 000013
式中、ｔｓは、サンプリング時間であり、
ＣＤ（ｔｓ）は、時間ｔｓにおける透析液流出物内のリンの濃度であり、
ＱＤ（ｔｓ）は、時間ｔｓにおける透析液流量であり、
Ｃ（ｔｓ）は、時間ｔｓにおける血清リン濃度である、
項目１に記載の方法。
（項目４）
ＫＭは、以下の式を使用して決定される、
【数８６】
2013524892.tif 000014
項目１に記載の方法。
（項目５）
前記患者のＣは、前記血液透析治療セッション中、１５分毎に測定される、項目１に記載の方法。
（項目６）
前記患者のＣは、前記血液透析治療セッション中、３０分毎に測定される、項目１に記載の方法。
（項目７）
ｔｔｘは、２時間である、項目１に記載の方法。
（項目８）
ｔｔｘは、４時間である、項目１に記載の方法。
（項目９）
ｔｔｘは、８時間である、項目１に記載の方法。
（項目１０）
Ｔは、３０分である、項目１に記載の方法。
（項目１１）
Ｔは、１時間である、項目１に記載の方法。
（項目１２）
以下の式を使用して、ＶＰＯＳＴを決定することと、
【数８７】
2013524892.tif 000015
ＶＰＯＳＴの値に基づいて、前記患者に療法を提供することと
を含む、項目１に記載の方法。
（項目１３）
血液透析中の患者内の血清リン濃度を予測する方法であって、
前記方法は、
初期血液透析治療セッション中の限外濾過速度（「ＱＵＦ」）＝０に対して、血液透析治療セッション時間にわたる前記患者の血清リン濃度（「Ｃ」）を測定することと、
以下の式に非線形最小２乗適合を使用して、前記患者に対するＫＭおよびＶＰＲＥを推定することであって、
【数８８】
2013524892.tif 000016
式中、ｔは、前記血液透析治療セッション中の時間であり、
Ｔは、前記血液透析治療セッションの終了後の時間であり、
ｔｔｘは、前記血液透析治療セッションの総持続時間であり、
ＣＰＲＥは、透析前血漿リン濃度であり、
ＣＰＯＳＴは、透析後血漿リン濃度であり、
ＫＭは、前記患者のリン移行クリアランスであり、
ＫＲは、リン酸塩の残留腎クリアランスであり、
ＫＤは、透析装置リン酸塩クリアランスであり、
ＶＰＲＥは、前記患者のリンの透析前分布容積である、ことと、
前記患者の推定されたＫＭおよびＶＰＲＥと、前記式２−Ａおよび２−Ｂとを使用することによって、任意の血液透析治療セッション中の任意の時間における前記患者のＣを予測することと
を含む、方法。
（項目１４）
ＫＤは、以下の式を使用して決定され、
【数８９−１】
2013524892.tif 000017
式中、
【数８９−２】
2013524892.tif 000018
【数９０】
2013524892.tif 000019
ＱＢは、血液流量であり、
ＱＤは、透析流量であり、
ＫＯＡは、以前の測定の結果として得られたリン酸塩に対する透析装置総括物質移動面積係数であり、一組の血液流量ＱＢ，Ｍおよび透析液流量ＱＤ，Ｍは、透析装置クリアランスＫＤ，Ｍをもたらし、
Ｈｃｔは、患者の血液サンプルから測定されたヘマトクリット値である、
項目１３に記載の方法。
（項目１５）
ＫＤは、以下の式を使用して、任意の時間ｔに対して決定され、
【数９１】
2013524892.tif 000020
式中、ｔｓは、サンプリング時間であり、
ＣＤ（ｔｓ）は、時間ｔｓにおける透析液流出物内のリンの濃度であり、
ＱＤ（ｔｓ）は、時間ｔｓにおける透析液流量であり、
Ｃ（ｔｓ）は、時間ｔｓにおける血清リン濃度である、
項目１３に記載の方法。
（項目１６）
ＫＭは、以下の式を使用して決定される、
【数９２】
2013524892.tif 000021
項目１３に記載の方法。
（項目１７）
前記患者のＣは、前記血液透析治療セッション中、１５分毎に測定される、項目１３に記載の方法。
（項目１８）
前記患者のＣは、前記血液透析治療セッション中、３０分毎に測定される、項目１３に記載の方法。
（項目１９）
ｔｔｘは、２時間である、項目１３に記載の方法。
（項目２０）
ｔｔｘは、４時間である、項目１３に記載の方法。
（項目２１）
ｔｔｘは、８時間である、項目１３に記載の方法。
（項目２２）
Ｔは、３０分である、項目１３に記載の方法。
（項目２３）
Ｔは、１時間である、項目１３に記載の方法。
（項目２４）
以下の式を使用して、ＶＰＯＳＴを決定することと、
【数９３】
2013524892.tif 000022
ＶＰＯＳＴの値に基づいて、前記患者に療法を提供することと
を含む、項目１３に記載の方法。
（項目２５）
コンピューティングデバイスであって、
ディスプレイデバイスと、
入力デバイスと、
プロセッサと、
複数の命令を記憶しているメモリデバイスと
を備え、
前記複数の命令は、前記プロセッサによって実行されると、
（ａ）血液透析治療セッション時間にわたる前記患者の血清リン濃度（「Ｃ」）と、限外濾過速度（「ＱＵＦ」）とに関連するデータを受信することであって、前記限外濾過速度は、初期血液透析治療セッション中の前記患者の透析前体重と透析後体重との間の差異が前記治療セッションの総治療時間によって除算されることによって計算される、ことと、
（ｂ）以下の式に非線形最小２乗適合を使用して、前記患者に対するＫＭおよびＶＰＲＥを推定することであって、
【数９４】
2013524892.tif 000023
式中、ｔは、前記血液透析治療セッション中の時間であり、
Ｔは、前記血液透析治療セッションの終了後の時間であり、
ｔｔｘは、前記血液透析治療セッションの総持続時間であり、
ＣＰＲＥは、透析前血漿リン濃度であり、
ＣＰＯＳＴは、透析後血漿リン濃度であり、
ＫＭは、前記患者のリン移行クリアランスであり、
ＫＲは、リン酸塩の残留腎クリアランスであり、
ＫＤは、透析装置リン酸塩クリアランスであり、
ＶＰＲＥは、前記患者のリンの透析前分布容積である、ことと、
（ｃ）前記患者の推定されたＫＭおよびＶＰＲＥと、前記式３−Ａとを使用することによって、血液透析治療中の任意の時間における前記患者のＣを予測することと
を行うように、前記プロセッサに、前記ディスプレイデバイスおよび前記入力デバイスと共に動作させる、コンピューティングデバイス。
（項目２６）
ＱＵＦ＝０である場合、
【数９５】
2013524892.tif 000024
である、項目２５に記載のコンピューティングデバイス。
（項目２７）
前記プロセッサは、前記ディスプレイデバイスおよび前記入力デバイスと共に動作し、ＫＲ、ＫＤ、または前記血清リン濃度を収集するためのサンプリング時間のうちの少なくとも１つに関連するデータを受信する、項目２５に記載のコンピューティングデバイス。
（項目２８）
血液透析患者における安定状態透析前血清リンレベルを決定する方法であって、
前記血液透析患者のリンの正味生成（「Ｇ」）を得ることと、
以下の式を使用して、前記血液透析患者の安定状態透析前血清リンレベル（「ＣＳＳ−ＰＲＥ」）を決定することであって、
【数９６】
2013524892.tif 000025
式中、Ｆは、週あたりの治療の頻度であり、
ｔｔｘは、１回の血液透析治療セッションに対する治療時間であり、
ＫＤは、透析装置リン酸塩クリアランスであり、
ＫＲは、リン酸塩の残留腎クリアランスであり、
【数９７】
2013524892.tif 000026
は、透析治療中の正規化された時間平均血漿リン濃度であり、
【数９８】
2013524892.tif 000027
は、透析間間隔の間の正規化された時間平均血漿リン濃度である、ことと、
患者パラメータまたは治療パラメータのうちの少なくとも１つの前記血液透析患者のＣＳＳ−ＰＲＥに及ぼす影響をシミュレートすることと
を含む、方法。
（項目２９）
【数９９】
2013524892.tif 000028
は、以下の式を使用して決定され、
【数１００】
2013524892.tif 000029
【数１０１】
2013524892.tif 000030
式中、ＫＭは、前記患者のリン移行クリアランスであり、
ＱＷＧは、前記透析間時間間隔の間における前記患者による流体増加の定率であり、
ＱＵＦは、前記患者から除去される流体の定率であり、
ＶＰＲＥは、血液透析治療セッション前の前記患者のリンの透析前分布容積であり、
ＶＰＯＳＴは、血液透析治療セッション終了時の前記患者のリンの透析後値である、
項目２８に記載の方法。
（項目３０）
血液透析療法中、正味限外濾過または前記患者からの流体除去が無視可能であり、かつ、血液透析療法間の体重増加がなく、ＱＵＦ＝であり、
【数１０２】
2013524892.tif 000031
は、以下の式を使用して決定され、
【数１０３】
2013524892.tif 000032
式中、ＫＭは、前記患者のリン移行クリアランスであり、
ＶＰＲＥは、血液透析治療セッション前の前記患者のリンの透析前分布容積であり、
ＶＰＯＳＴは、血液透析治療セッション終了時の前記患者のリンの透析後値である、
項目２８に記載の方法。
（項目３１）
前記患者パラメータは、Ｇ、ＫＭ、またはＶＰＲＥである、項目２９または３０のいずれかに記載の方法。
（項目３２）
前記治療パラメータは、ｔｔｘ、ＫＤ、またはＦである、項目２９または３０に記載の方法。
（項目３３）
ＫＭは、以下の式を使用して決定され、
【数１０４】
2013524892.tif 000033
式中、ＣＰＯＳＴは、透析後血漿リン濃度であり、ＣＰＲＥは、透析前血漿リン濃度である、項目２９または３０に記載の方法。
（項目３４）
Ｇは、以下の式を使用して計算され、
【数１０５】
2013524892.tif 000034
式中、ＣＳＳ−ＰＲＥ−ＩＮは、式４−Ｇを使用する計算の前の規定時間に対する、前記血液透析患者の初期測定安定状態透析前血清リンレベルであり、前記血液透析患者は、ＫＤ、Ｆ、およびｔｔｘによって識別される血液透析療法によって維持されており、
Ｆは、週あたりの治療の頻度であり、
ｔｔｘは、１回の血液透析治療セッションに対する治療時間であり、
ＫＤは、透析装置リン酸塩クリアランスであり、
ＫＲは、リン酸塩の残留腎クリアランスであり、
【数１０６】
2013524892.tif 000035
は、透析治療中の正規化された時間平均血漿リン濃度であり、
【数１０７】
2013524892.tif 000036
は、透析間間隔の間の正規化された時間平均血漿リン濃度である、
項目２８に記載の方法。
（項目３５）
ＫＤは、以下の式を使用して決定され、
【数１０８−１】
2013524892.tif 000037
式中、
【数１０８−２】
2013524892.tif 000038
ＱＢは、血液流量であり、
ＱＤは、透析流量であり、
ＫＯＡは、以前の測定の結果として得られたリン酸塩に対する透析装置総括物質移動面積係数であり、一組の血液流量ＱＢ，Ｍおよび透析液流量ＱＤ，Ｍは、透析装置クリアランスＫＤ，Ｍをもたらし、
Ｈｃｔは、患者の血液サンプルから測定されたヘマトクリット値である、
項目２８に記載の方法。
（項目３６）
ＫＤは、以下の式を使用して、任意の時間ｔに対して決定され、
【数１０９】
2013524892.tif 000039
式中、ｔｓは、サンプリング時間であり、
ＣＤ（ｔｓ）は、時間ｔｓにおける透析液流出物内のリンの濃度であり、
ＱＤ（ｔｓ）は、時間ｔｓにおける透析液流量であり、
Ｃ（ｔｓ）は、時間ｔｓにおける血清リン濃度である、
項目２８に記載の方法。
（項目３７）
Ｇは、以下の式を使用して決定され、
【数１１０】
2013524892.tif 000040
式中、ＩＰは、前記血液透析患者のリンの週あたりの食事からの摂取量であり、
Ａｐは、前記血液透析患者の％リン吸収であり、
ＩＢは、前記血液透析患者の週あたりの結合剤摂取量であり、
ＰＢは、前記結合剤の結合力である、
項目２８に記載の方法。
（項目３８）
前記血液透析患者のＣＳＳ−ＰＲＥが、約３．６ｍｇ／ｄｌから５．０ｍｇ／ｄｌの範囲にあるように、リン摂取量のレベルを決定することを含む、項目２８に記載の方法。
（項目３９）
前記血液透析患者のＣＳＳ−ＰＲＥが、約３．６ｍｇ／ｄｌから５．０ｍｇ／ｄｌの範囲にあるように、前記患者に投与されるリン結合剤を決定することを含む、項目２８に記載の方法。
（項目４０）
前記血液透析患者のＣＳＳ−ＰＲＥが、約３．６ｍｇ／ｄｌから５．０ｍｇ／ｄｌの範囲にあるように、総血液透析治療セッション時間を決定することを含む、項目２８に記載の方法。
（項目４１）
前記血液透析患者のＣＳＳ−ＰＲＥが、約３．６ｍｇ／ｄｌから５．０ｍｇ／ｄｌの範囲にあるように、頻度Ｆを決定することを含む、項目２８に記載の方法。
（項目４２）
前記血液透析患者のＣＳＳ−ＰＲＥが、約３．６ｍｇ／ｄｌから５．０ｍｇ／ｄｌの範囲にあるように、要求される血液流量および／または透析液流量を決定することを含む、項目２８に記載の方法。
（項目４３）
前記血液透析患者のＣＳＳ−ＰＲＥが、約３．６ｍｇ／ｄｌから５．０ｍｇ／ｄｌの範囲にあるように、前記透析液に添加されるリン塩補給剤の量を決定することを含む、項目２８に記載の方法。
（項目４４）
ＫＭおよびＶＰＲＥは、
血液透析治療セッション時間にわたる前記血液透析患者の血清リン濃度（「Ｃ」）と、限外濾過速度（「ＱＵＦ」）とを測定することであって、前記限外濾過速度は、初期血液透析治療セッション中の前記患者の透析前体重と透析後体重との間の差異が前記治療セッションの総治療時間によって除算されることによって計算される、ことと、
以下の式に非線形最小２乗適合を使用して、前記血液透析患者に対するＫＭおよびＶＰＲＥを計算すること
によって決定され、
【数１１１】
2013524892.tif 000041
式中、ｔは、前記血液透析治療セッション中の時間であり、
Ｔは、前記血液透析治療セッションの終了後の時間であり、
ｔｔｘは、前記血液透析治療セッションの総持続時間であり、
ＣＰＲＥは、透析前血漿リン濃度であり、
ＣＰＯＳＴは、透析後血漿リン濃度であり、
ＫＭは、前記患者のリン移行クリアランスであり、
ＫＲは、リン酸塩の残留腎クリアランスであり、
ＫＤは、透析装置リン酸塩クリアランスであり、
ＶＰＲＥは、前記患者のリンの透析前分布容積であり、
【数１１２】
2013524892.tif 000042
である、
項目２８に記載の方法。
（項目４５）
コンピューティングデバイスであって、
ディスプレイデバイスと、
入力デバイスと、
プロセッサと、
複数の命令を記憶しているメモリデバイスと
を備え、
前記複数の命令は、前記プロセッサによって実行されると、
（ａ）少なくとも、血液透析患者の食事からのリン摂取量または前記血液透析患者の尿素動態モデルから、リンの正味生成（「Ｇ」）に関連するデータを受信することと、
（ｂ）以下の式を使用して、前記患者の安定状態透析前血清リンレベル（「ＣＳＳ−ＰＲＥ」）を決定することであって、
【数１１３】
2013524892.tif 000043
式中、Ｆは、週あたりの治療の頻度であり、
ｔｔｘは、１回の血液透析治療セッションに対する治療時間であり、
ＫＤは、透析装置リン酸塩クリアランスであり、
ＫＲは、リン酸塩の残留腎クリアランスであり、
【数１１４】
2013524892.tif 000044
は、透析治療中の正規化された時間平均血漿リン濃度であり、
【数１１５】
2013524892.tif 000045
は、透析間間隔の間の正規化された時間平均血漿リン濃度である、ことと、
（ｃ）患者パラメータまたは治療パラメータのうちの少なくとも１つの前記血液透析患者のＣＳＳＰＲＥに及ぼす影響をシミュレートすることと
を行うように、前記プロセッサに、前記ディスプレイデバイスおよび前記入力デバイスと共に動作させる、
コンピューティングデバイス。
（項目４６）
前記プロセッサは、血液透析治療セッションまたは前記血清リン濃度を収集するためのサンプリング時間の約１ヶ月前に、前記ディスプレイデバイスおよび前記入力デバイスと共に動作し、ＫＲ、ＫＤ、ＫＭ、ＶＰＲＥ、ｔｔｘ、Ｆ、ＣＰＲＥのうちの少なくとも１つに関連するデータを受信する、項目４５に記載のコンピューティングデバイス。
（項目４７）
前記コンピューティングデバイスは、ＣＳＳ−ＰＲＥが、所望の範囲内にあるように、前記血液透析患者の治療計画を表示する、項目４５に記載のコンピューティングデバイス。
（項目４８）
コンピューティングデバイスであって、
ディスプレイデバイスと、
入力デバイスと、
プロセッサと、
複数の命令を記憶しているメモリデバイスと
を備え、
前記複数の命令は、前記プロセッサによって実行されると、
（ａ）以下の式を使用して、リンの正味生成（「Ｇ」）を決定することであって、
【数１１６】
2013524892.tif 000046
式中、ＣＳＳ−ＰＲＥ−ＩＮは、式６−Ａを使用するＧの計算の前の規定時間に対する、前記血液透析患者の初期測定安定状態透析前血清リンレベルであり、前記血液透析患者は、ＫＤ、Ｆ、およびｔｔｘによって識別される血液透析療法によって維持されており、
Ｆは、週あたりの治療の頻度であり、
ｔｔｘは、１回の血液透析治療セッションに対する治療時間であり、
ＫＤは、透析装置リン酸塩クリアランスであり、
ＫＲは、リン酸塩の残留腎クリアランスであり、
【数１１７】
2013524892.tif 000047
は、透析治療中の正規化された時間平均血漿リン濃度であり、
【数１１８】
2013524892.tif 000048
は、透析間間隔の間の正規化された時間平均血漿リン濃度である、ことと、
（ｂ）以下の式を使用して、前記血液透析患者の安定状態透析前血清リンレベル（「ＣＳＳ−ＰＲＥ」）を予測することと、
【数１１９】
2013524892.tif 000049
（ｃ）患者パラメータまたは治療パラメータのうちの少なくとも１つの前記血液透析患者のＣＳＳ−ＰＲＥに及ぼす影響をシミュレートすることと
を行うように、前記プロセッサに、前記ディスプレイデバイスおよび前記入力デバイスと共に動作させる、コンピューティングデバイス。
（項目４９）
前記プロセッサは、血液透析治療セッションまたは前記血清リン濃度を収集するためのサンプリング時間の約１ヶ月前に、前記ディスプレイデバイスおよび前記入力デバイスと共に動作し、ＫＲ、ＫＤ、ＫＭ、ＶＰＲＥ、ｔｔｘ、Ｆ、ＣＰＲＥのうちの少なくとも１つに関連するデータを受信する、項目４８に記載のコンピューティングデバイス。
（項目５０）
前記コンピューティングデバイスは、ＣＳＳ−ＰＲＥが、所望の範囲内にあるように、前記血液透析患者の治療計画を表示する、項目４８に記載のコンピューティングデバイス。